(57)【特許請求の範囲】
【請求項１】
鋼管からなる柱の周囲に巻き付けて使用する雨除け装置であって、
四角錐の頂点が、前記柱の平断面の形状に対応する上面で切り取られた略四角錐状を形成し、前記上面及び略四角錐状の底面が開口された笠部と、
前記柱の平断面の形状の周囲の長さに対応した長さを有し、前記笠部の上面の辺から起立した帯部と、を備え、
前記笠部は、前記柱の平断面の形状の各辺を短辺とする長方形状の面取り面と、前記面取り面の間に形成される三角形状の覆い面とを有することを特徴とする、
雨除け装置。
【請求項２】
前記笠部の下端付近に、前記柱に接合される梁への定着手段、を更に備える、
請求項１に記載の雨除け装置。
【請求項３】
前記定着手段が、前記面取り面の下端付近に装着される、
請求項２に記載の雨除け装置。
【請求項４】
前記笠部の下辺に接続する延長笠部、を更に備える、
請求項１に記載の雨除け装置。
【請求項５】
前記定着手段が、磁石である、
請求項２ないし４に記載の雨除け装置。
【請求項６】
前記帯部を前記柱に磁着させる為の磁石を、更に備える、
請求項１ないし５に記載の雨除け装置。
【請求項７】
前記笠部から前記帯部に至る着脱手段を有する閉じ合わせ手段、を更に備える、
請求項１ないし６に記載の雨除け装置。
【請求項８】
前記帯部の内面側に弾性を有する止水材を備える、
請求項１ないし７に記載の雨除け装置。
【請求項９】
前記笠部が光の透過性を有する素材からなる、
請求項１ないし８に記載の雨除け装置。
【請求項１０】
Ｈ形鋼からなり、端部に高力ボルトが挿通されるボルト挿通孔を有する接合板が設けられた梁と、角形鋼管からなり側面にタップ孔を有する梁接合面が設けられた柱とを、高力ボルトにより接合する柱梁接合部において、請求項１ないし９の雨除け装置を用いる雨除け構造であって、
前記笠部の下辺の一部が前記梁に接触するように、前記柱梁接合部より上方の前記柱の位置に前記帯部が巻き付けられることを特徴とする、
雨除け構造。
【請求項１１】
角形鋼管からなり、所定の高さに梁が接合された下部柱と、前記下部柱の上端に接合される上部柱とを、高力ボルトにより接合する柱柱接合部において、請求項１ないし９の雨除け装置を用いる雨除け構造であって、
前記笠部の下辺の少なくとも一部が前記柱柱接合部より低位となるように、前記柱柱接合部の直上に、前記帯部が巻き付けられることを特徴とする、
雨除け構造。
【請求項１２】
柱の周囲に巻き付けて使用する雨除け装置の設置構造であって、
前記雨除け装置は、
前記柱の平断面に対応する形状で上面が開口されるとともに、底面が開口された、シート状素材の笠部と、
前記柱の平断面の周囲の長さに対応した長さを有し、前記笠部の上面の辺から起立した帯部と、を備えており、
前記帯部は、該帯部が有する定着手段によって、前記柱に対して定着されており、
前記笠部は、該笠部が前記柱に接合する複数の梁に対応した位置に有する複数の定着手段によって、前記複数の梁に対して定着され、
前記笠部の形状は、前記帯部が有する前記定着手段と、前記笠部が有する前記複数の定着手段とによって保持されたことを特徴とする雨除け装置の設置構造。
【発明の詳細な説明】
【技術分野】
【０００１】
本発明は、高力ボルトにより柱梁接合又は柱柱接合を行う場合に適用される雨除け装置及び雨除け構造に関する。
【背景技術】
【０００２】
従来より、例えば、特許文献１に記載された柱梁接合部や、特許文献２に記載された柱柱接合部において、高力ボルトによる接合作業が行われている。
【０００３】
高力ボルトを用いる場合、ボルト締め付け時のトルク管理が重要であるが、水に濡れた状態で、高力ボルトを締め付けると、トルク係数が変動し、トルク管理が困難となる。従って、雨天時には、高力ボルトによる接合作業を行わないのが一般的である。そのため、雨天が長く続くと、工期が長引いてしまうという課題がある。
【０００４】
特許文献３、４には、天候に左右されず雨天においても接合作業を行いうる装置が種々提案されている。
【先行技術文献】
【特許文献】
【０００５】
【特許文献１】特開昭６１−０５８６２０号公報
【特許文献２】特開２００１−２６２７００号公報
【特許文献３】実開平０５−６４２２３号公報
【特許文献４】特開２００３−３２８３５０号公報
【発明の概要】
【発明が解決しようとする課題】
【０００６】
しかしながら、これらの装置は、剛性を有する素材、或いは、シートとシートの形状を保持する枠との組み合わせにより構成されているので、例えば、作業者の頭上であって、作業者と干渉しない高い位置に設置する必要がある。そのため、風を伴う降雨時での使用を想定すると、濡らしたくない部位を覆うためには、装置のサイズを大きくする必要があり、これらの装置は、着脱（装着）作業が容易でないという課題がある。
【０００７】
本発明は、このような事情に鑑みてなされたものであり、比較的簡易な着脱（装着）作業で取り付け可能で、接合部に雨水等が浸入するのを防止することができる雨除け装置及び雨除け構造を提供することを目的とする。
【課題を解決するための手段】
【０００８】
本発明の雨除け装置の一態様は、鋼管からなる柱の周囲に巻き付けて使用する雨除け装置であって、四角錐の頂点が、前記柱の平断面の形状に対応する上面で切り取られた略四角錐状を形成し、前記上面及び略四角錐状の底面が開口された笠部と、前記柱の平断面の形状の周囲の長さに対応した長さを有し、前記笠部の上面の辺から起立した帯部と、を備え、前記笠部は、前記柱の平断面の形状の各辺を短辺とする長方形状の面取り面と、前記面取り面の間に形成される三角形状の覆い面とを有することを特徴とする。
【００１１】
本発明の雨除け装置の一態様は、前記笠部の下端付近に、前記柱に接合される梁への定着手段、を更に備える。
【００１２】
本発明の雨除け装置の一態様は、前記定着手段が、前記面取り面の下端付近に装着される。
【００１３】
本発明の雨除け装置の一態様は、前記笠部の下辺に接続する延長笠部、を更に備える。
【００１４】
本発明の雨除け装置の一態様は、前記定着手段が、磁石である。
【００１５】
本発明の雨除け装置の一態様は、前記帯部を前記柱に磁着させる為の磁石を、更に備える。
【００１６】
本発明の雨除け装置の一態様は、前記笠部から前記帯部に至る着脱手段を有する閉じ合わせ手段、を更に備える。
【００１７】
本発明の雨除け装置の一態様は、前記帯部の内面側に弾性を有する止水材を備える。
【００１８】
本発明の雨除け装置の一態様は、前記笠部が光の透過性を有する素材からなる。
【００１９】
本発明の雨除け構造の一態様は、Ｈ形鋼からなり、端部に高力ボルトが挿通されるボルト挿通孔を有する接合板が設けられた梁と、角形鋼管からなり側面にタップ孔を有する梁接合面が設けられた柱とを、高力ボルトにより接合する柱梁接合部において、上記雨除け装置を用いる雨除け構造であって、前記笠部の下辺の一部が前記梁に接触するように、前記柱梁接合部より上方の前記柱の位置に前記帯部が巻き付けられることを特徴とする。
【００２０】
本発明の雨除け構造の一態様は、角形鋼管からなり、所定の高さに梁が接合された下部柱と、前記下部柱の上端に接合される上部柱とを、高力ボルトにより接合する柱柱接合部において、上記雨除け装置を用いる雨除け構造であって、前記笠部の下辺の少なくとも一部が前記柱柱接合部より低位となるように、前記柱柱接合部の直上に、前記帯部が巻き付けられることを特徴とする。
また、本発明の雨除け装置の設置構造の一態様は、柱の周囲に巻き付けて使用する雨除け装置の設置構造であって、前記雨除け装置は、前記柱の平断面に対応する形状で上面が開口されるとともに、底面が開口された、シート状素材の笠部と、前記柱の平断面の周囲の長さに対応した長さを有し、前記笠部の上面の辺から起立した帯部と、を備えており、前記帯部は、該帯部が有する定着手段によって、前記柱に対して定着されており、前記笠部は、該笠部が前記柱に接合する複数の梁に対応した位置に有する複数の定着手段によって、前記複数の梁に対して定着され、前記笠部の形状は、前記帯部が有する前記定着手段と、前記笠部が有する前記複数の定着手段とによって保持されたことを特徴とする。
【発明の効果】
【００２１】
本発明に係る雨除け装置及び雨除け構造によれば、比較的簡易な着脱（装着）作業で取り付け可能で、接合部に雨水等が浸入するのを防止することができる。
【図面の簡単な説明】
【００２２】
【図１】ノンブラケット方式で接合される柱梁接合部の分解側断面図である。
【図２】イーカプラ工法を説明するための図である。
【図３】本実施の形態に係る雨除け装置の構成を示す斜視図である。
【図４】帯部が柱に巻き付けらけた状態で、柱の真上から笠部を見た平面図である。
【図５】本実施の形態に係る雨除け装置の別の構成を示す斜視図である。
【図６】帯部が柱に巻き付けらけた状態で、柱の真上から笠部を見た平面図である。
【発明を実施するための形態】
【００２３】
以下に、実施の形態に基づいて本発明を詳細に説明するが、この実施の形態は本発明の理解を助けるために記載するものであって、本発明は記載された実施の形態に限定されるものではない。
【００２４】
（一実施の形態）
本発明に係る雨除け装置は、高力ボルトにより柱と梁又は柱と柱とを接合する場合に好適である。
【００２５】
（柱梁接合部）
始めに、本発明に係る雨除け装置を適用する柱梁接合部について説明する。
【００２６】
本発明に係る雨除け装置は、所謂ノンブラケット方式を用いて柱と梁とを接合する場合に好適である。ブラケット方式は、柱から突出したブラケットと梁とを接合するのに対し、ノンブラケット方式は、柱からブラケットを突出させずに、柱と梁とを接合する（特許文献１参照）。以下、図１を用いて、ノンブラケット方式について説明する。
【００２７】
図１は、ノンブラケット方式で接合される柱梁接合部の分解側断面図である。
【００２８】
柱１２の側面の所定高さには、複数のタップ孔１５を有する梁接合面１３が設けられている。タップ孔１５は、タップ加工されており、タップ孔１５には、高力ボルト１４がねじ込まれる。
【００２９】
高力ボルト１４には、ピンテールを有するトルシア形高力ボルトであって、所定の締め付けトルクが作用した際に、ピンテールが破断され締め付けが終了する、トルク管理が容易（トルク測定不要）なボルトが用いられる。
【００３０】
柱１２の梁接合面１３に接合される梁１１は、Ｈ形鋼からなり、端部に梁接合面１３に当接される接合板（エンドプレート）１６を備えている。
【００３１】
接合板１６には、タップ孔１５に対応する位置に、高力ボルトが挿通されるボルト挿通孔１７が穿設されている。
【００３２】
そして、柱１２と梁１１とは、柱１２の梁接合面１３と梁１１の接合板１６とを当接した状態で、高力ボルト１４を接合板１６のボルト挿通孔１７に挿通するとともに、タップ孔１５に締結することにより接合される。
【００３３】
（柱柱接合部）
次に、本発明に係る雨除け装置を適用する柱柱接合部について説明する。
【００３４】
本発明に係る雨除け装置は、無溶接継手工法を用いて柱と柱とを接合する場合に好適である。無溶接継手工法には、「イーカプラ（登録商標）工法」がある（特許文献２参照）。イーカプラ工法は、角形鋼管柱専用の無溶接継手工法である。
【００３５】
図２は、イーカプラ工法を説明するための図である。
【００３６】
工場にて、柱柱接合部（柱継ぎ部）の上下の角形鋼管柱である上部柱２１ａ、下部柱２１ｂの端部にコラムカプラー２２が溶接接合される。そして、現場にて、コーナークリッパー２３と高力ボルト２４とを用いて、上下のコラムカプラー２２がくさびの原理で機械的に接合される。
【００３７】
高力ボルト２４には、ピンテールを有するトルシア形高力ボルトであって、所定の締め付けトルクが作用した際にピンテールが破断され締め付けが終了するトルク管理が容易（トルク測定不要）なボルトが用いられる。
【００３８】
（雨除け装置の構成１）
次に、本実施の形態に係る雨除け装置の構成について説明する。
【００３９】
図３は、本実施の形態に係る雨除け装置３０の構成を示す斜視図である。なお、図３は、雨除け装置３０を柱１２に設置した例を示している。
【００４０】
本実施の形態に係る雨除け装置３０は、笠部３１と、帯部３２と、を備える。笠部３１は、雨水等により、柱梁接合部又は柱柱接合部が濡れるのを防止するための部位である。笠部３１の詳細な構成については、後述する。帯部３２は、柱１２に巻き付けられて、雨除け装置３０を柱１２に固定するための部位である。帯部３２は、作業者により、柱１２に巻き付けられる。
【００４１】
笠部３１及び帯部３２のうち、少なくとも笠部３１は、柔軟性を有するシート状素材からなる。柔軟性を有するシート状素材としては、例えば、テント生地等として使用される素材であるターポリンがある。ターポリンは、ポリエステルの織物に塩化ビニールを貼り合わせたものである。これにより、笠部３１が梁等の鉄鋼部材と接触した場合においても、笠部３１が破損する頻度を低減することができる。
【００４２】
次に、図３及び図４を用いて、笠部３１について説明する。図４は、帯部３２が柱１２に巻き付けらけた状態で、柱１２の真上から笠部３１を見た平面図である。
【００４３】
笠部３１は、正四角錐の頂点が、柱１２の平断面の四角形状と大きさ及び形状がほぼ一致し、柱１２の平断面を含む面（以下、「上面」という）で切り取られた略「正四角錐」状を形成する。すなわち、笠部３１の上辺の長さは、雨除け装置３０が取り付けられる柱１２の平断面形状（辺の長さ）に対応している。略「正四角錐」状を形成する笠部３１の上面及び底面は、開口されている。
【００４４】
また、笠部３１は、上面の各辺を短辺とする長方形から形成される面取り面３３を有する。
【００４５】
また、笠部３１は、面取り面３３と面取り面３３との間に、三角形状の覆い面３４を有する。なお、隣り合う面取り面３３の長辺が、覆い面３４を形成する三角形の対辺となるように、面取り面３３と覆い面３４とは繋ぎ合わせられている。
【００４６】
すなわち、笠部３１は、正四角錐の頂点が、柱１２の平断面の四角形状と大きさ及び形状がほぼ一致する面（上面）で切り取られ、正四角錘の斜辺が、面取り面３３で「面取り」された略「正四角錐」状を形成する。
【００４７】
なお、ここで略「正四角錘」状は、雨除け装置３０を柱１２の周囲に巻き付けて、笠部３１の各面を撓んだり折れ曲がったりすることなく伸ばした状態での形状であって、実際の使用状況では、笠部３１の素材の柔軟性によって萎縮した状態となる。
【００４８】
なお、笠部３１は、柱１２に接合される梁１１に定着するために、笠部３１の下端付近に、例えば、磁石からなる定着部３５を有するようにしてもよい。これにより、定着部３５を梁１１に定着させることができるので、笠部３１がめくれ上がるのを防止し、笠部３１のバタつきを抑えることができる。また、定着部３５を面取り面３３の下端付近に装着するようにすると、笠部３１が形成する略「正四角錐」状の斜辺が、梁１１の上位に位置するようになる。これにより、笠部３１の内部空間を確保することができるため、作業がしやすくなる。
【００４９】
なお、笠部３１の下辺に、延長笠部３６を設けるようにしてもよい。例えば、笠部３１の下辺を底辺とする略三角形状の延長笠部３６を設けるようにしてもよい。延長笠部３６が、梁１１の両側に、梁１１の上端より垂れ下がるので、雨除け機能を向上させることができる。
【００５０】
帯部３２は、柱１２の平断面の四角形状の周囲の長さに対応した長さを有し、笠部３１の上面の辺から面取り面３３を延長するように起立している。これにより、帯部３２を、柱１２の４つの側面に接した状態で取り付けることができ、柱１２に雨除け装置３０を固定しやすく、また、柱１２の側面を伝い落ちる雨水等が帯部３２と柱１２との間から浸入するのを防止することができる。なお、帯部３２が起立する角度は、笠部３１の上面に対して垂直であると好適である。
【００５１】
なお、帯部３２の内面であって、柱１２に接着される側の面に、止水材を接着すると、耐防水性を向上させることができる。止水材には、板状の天然ゴム等の弾性を有する素材を用いることができる。
【００５２】
また、帯部３２の内面であって、柱１２に接着される面に、ポケット等の収納部を設け、収納部内に、板状の磁石が収容されるようにしてもよい。例えば、柱１２の４つの面に接着される４箇所にポケットを設け、各ポケット内に板状の磁石を収容する場合には、雨除け装置３０がずり落ちにくくなって、雨除け装置３０を柱１２に巻き付けやすくなる。また、磁石を用いることにより、設置位置の微調整が容易となるため、雨除け装置３０を柱１２の最適な位置に設置しやすくなる。なお、帯部３２に止水材が接着される場合には、磁石が止水材と柱１２との間に収納されるように、収納部を設ける必要がある。
【００５３】
また、柱１２の４つの側面に帯部３２が巻き付けられた状態で、帯部３２の一方の端と他方の端とを接着するために、帯部３２の一方の端に接着部（図示せぬ）を設け、接着部と帯部３２の他方の端とを接着させるようにするとよい。これにより、帯部３２が柱１２の４つの側面にしっかりと巻き付けられるので、雨除け装置３０がずり落ちるのを抑えることができる。
【００５４】
以上のように、本実施の形態に係る雨除け装置３０は、正四角錐の頂点が、柱１２の平断面の四角形状に対応する上面で切り取られた略「正四角錐」状を形成し、上面及び略「正四角錐」状の底面が開口された笠部３１と、柱１２の平断面の四角形状の周囲の長さに対応した長さを有し、笠部３１の上面の辺から起立した帯部３２と、を備える。笠部３１は、柔軟性を有するシート状素材からなり、柱１２の平断面の四角形状の各辺を短辺とする長方形状の面取り面３３と、面取り面３３の間に形成される三角形状の覆い面３４とを有する。
【００５５】
これにより、比較的簡易な着脱（装着）作業で、雨除け装置３０を取り付けることができる。また、笠部３１は、長方形、三角形等の単純な形状の柔軟性を有するシート状素材から形成されるため、雨除け装置３０を比較的容易に、低コストで製作することができる。また、未使用時に、雨除け装置３０をコンパクトに折り畳むことができるため、収納スペースを削減することができる。また、収納スペースを取らず、破損しにくいため、作業現場への運搬時等において取り扱いやすく、運搬時等に、雨除け装置３０が破損する頻度を低減することができる。
【００５６】
（雨除け装置の構成２）
次に、本実施の形態に係る雨除け装置の別の構成について説明する。
【００５７】
図５は、本実施の形態に係る雨除け装置４０の構成を示す斜視図である。なお、図５は、雨除け装置４０を柱１２に設置した例を示している。図５の雨除け装置４０において、図３の雨除け装置３０と同様の構成には同一の符号を付して説明を省略する。
【００５８】
本実施の形態に係る雨除け装置４０は、笠部４１と、帯部３２と、を備える。笠部４１は、雨水等により、柱梁接合部又は柱柱接合部が濡れるのを防止するための部位である。笠部４１の詳細な構成については、後述する。帯部３２は、柱１２に巻き付けられて、雨除け装置４０を柱１２に固定するための部位である。帯部３２は、作業者により、柱１２に巻き付けられる。
【００５９】
笠部４１及び帯部３２のうち、少なくとも笠部４１は、柔軟性を有するシート状素材からなる。柔軟性を有するシート状素材としては、例えば、テント生地等として使用される素材であるターポリンがある。これにより、笠部４１が梁等の鉄鋼部材と接触した場合においても、笠部４１が破損する頻度を低減することができる。
【００６０】
次に、図５及び図６を用いて、笠部４１について説明する。図６は、帯部３２が柱１２に巻き付けらけた状態で、柱１２の真上から笠部４１を見た平面図である。
【００６１】
笠部４１は、正四角錐の頂点が、柱１２の平断面と大きさ及び形状がほぼ一致し、柱１２の平断面を含む面（上面）で切り取られた略「正四角錐」状を形成する。すなわち、笠部４１の上辺の長さは、雨除け装置４０が取り付けられる柱１２の平断面形状（辺の長さ）に対応している。略「正四角錐」状を形成する笠部４１の上面及び略「正四角錐」状の底面は、開口されている。
【００６２】
また、笠部４１は、笠部４１の上面を形成する四角の各辺を上底とする台形状の覆い面４２を有する。より具体的には、覆い面４２は、笠部４１の上面を形成する四角の各辺を上底とする等脚台形とする。なお、隣り合う覆い面４２の辺同士は、繋ぎ合わせられている。これにより、台形状の覆い面４２の下底は、略「正四角錘」状の下面を形成する。
【００６３】
なお、ここで略「正四角錘」状は、雨除け装置４０を柱１２の周囲に巻き付けて、笠部４１の各面を撓んだり折れ曲がったりすることなく伸ばした状態での形状であって、実際の使用状況では、笠部４１の素材の柔軟性によって萎縮した状態となる。
【００６４】
雨除け装置３０と雨除け装置４０とを比較すると、覆い面４２に、面取り面３３が含まれている。
【００６５】
なお、笠部４１は、覆い面４２の下底の中央付近に、例えば、磁石からなる定着部４３を有するようにしてもよい。これにより、定着部４３を梁１１に定着させることができるので、笠部４１がめくれ上がるのを防止し、笠部４１のバタつきを抑えることができる。
【００６６】
また、覆い面４２の下底の中央付近を梁１１に定着させることにより、隣り合う定着部４３の間の覆い面４２が、梁１１と梁１１との間に、梁１１の上端より垂れ下がって、雨除け機能を向上させることができる。
【００６７】
以上のように、本実施の形態に係る雨除け装置４０は、正四角錐の頂点が、柱１２の平断面の四角形状に対応する上面で切り取られた略「正四角錐」状を形成し、上面及び略「正四角錐」状の底面が開口された笠部４１と、柱１２の平断面の四角形状の周囲の長さに対応した長さを有し、笠部４１の上面の辺から起立した帯部３２と、を備える。笠部４１は、柔軟性を有するシート状素材からなり、柱１２の平断面の四角形状の各辺を上底とする台形状の覆い面４２を有する。
【００６８】
これにより、比較的簡易な着脱（装着）作業で、雨除け装置４０を取り付けることができる。また、笠部４１は、台形等の単純な形状の柔軟性を有するシート状素材から形成されるため、雨除け装置４０を、比較的容易に、低コストで製作することができる。また、未使用時に、雨除け装置４０をコンパクトに折り畳むことができるため、収納スペースを削減することができる。また、収納スペースを取らず、破損しにくいため、作業現場への運搬時等において取り扱いやすく、運搬時等に、雨除け装置４０が破損する頻度を低減することができる。
【００６９】
以上、本実施の形態に係る雨除け装置の構成について説明した。
【００７０】
なお、笠部３１、４１から帯部３２にかけて、縦方向に着脱手段を有する閉じ合わせ部３７、４４を備えるようにしてもよい。閉じ合わせ部３７、４４には、例えば、面ファスナー等を利用することができる。これにより、雨除け装置３０、４０の着脱（装着）作業が更に容易となる。また、閉じ合わせ部３７、４４を帯部３２から絞り込みできるようにしてもよい。これにより、閉じ合わせ部３７、４４から雨水等が浸入するのをより確実に防止することができる。なお、閉じ合わせ部３７、４４の位置は、図４、図６に示した位置に限定されるものではない。
【００７１】
また、面取り面３３と覆い面３４との間、覆い面４２と覆い面４２との間、笠部３１、４１と帯部３２との間等の継ぎ目は、高周波ウエルダー加工されていると、防水及び強度に優れ好適である。
【００７２】
また、笠部３１、４１が、光の透過性を有する素材から形成するようにすると、笠部３１、４１の内部が暗くなるのが軽減されて、作業がしやすくなる。
【００７３】
なお、雨除け装置３０、４０を柱柱接合時に用いる場合には、作業者が笠部３１、４１の中に入って接合作業を行うので、柱柱接合部用の雨除け装置３０、４０は、柱梁接合部用の雨除け装置３０、４０に比べてサイズが大きい。サイズが大きくなるほど、雨除け装置３０、４０の重量は重くなり、笠部３１、４１がめくれ上がる頻度が少なくなるので、柱柱接合部用の雨除け装置３０、４０には、定着部３５，４３を設けなくてもよい。また、サイズが大きくなるほど、内部が暗くなるので、柱柱接合部用の雨除け装置３０、４０は、光の透過性を有する透明あるいは半透明の素材を用いて笠部３１、４１を形成するのが好ましい。
【００７４】
（施工方法１）
次に、上記のように構成された雨除け装置３０、４０を用いて、柱と梁とを接合する施工方法について説明する。
【００７５】
（１）柱１２を立設する。
（２）柱１２に梁１１を仮接合（仮ボルトで仮締め）する。仮接合は、対角に２箇所行う。
（３）雨除け装置３０（又は雨除け装置４０）が柱梁接合部を覆うように、帯部３２を、柱梁接合部の上方の柱１２に巻き付ける。
（４）定着部３５（又は定着部４３）を用いて笠部３１（又は笠部４１）の下端付近を梁１１に磁着させる。
（５）下方より高力ボルト１４で本接合（本ボルトで本締め）する。
【００７６】
（施工方法２）
上記のように構成された雨除け装置３０、４０を用いて、柱と柱とを接合する施工方法について説明する。
【００７７】
（１）下部柱２１ｂを立設する。
（２）下部柱２１ｂに下階梁１１を接合する。なお、下部柱２１ｂと下階梁１１との接合には、上述の施工方法１を用いる。
（３）上部柱２１ａを吊り上げ、下部柱２１ｂの上方に移動させる。
（４）雨除け装置３０（又は雨除け装置４０）が、柱柱接合部を覆うような上部柱２１ａの位置に、帯部３２を巻き付ける。
（５）上部柱２１ａを下げ、下部柱２１ｂと嵌合させる。
（６）雨除け装置３０の笠部３１（又は雨除け装置４０の笠部４１）の中に入り、高力ボルト２４で上部柱２１ａと下部柱２１ｂとを接合する。
【００７８】
なお、施工方法２において、（３）と（４）との順序を入れ替え、上部柱２１ａを吊り上げる前に、帯部３２を上部柱２１ａに巻き付けておくようにしてもよい。
【００７９】
以上のように、本実施の形態に係る雨除け装置３０、４０は、正四角錐の頂点が、柱１２の平断面の四角形状に対応する上面で切り取られた略「正四角錐」状を形成し、上面及び略「正四角錐」状の底面が開口された笠部３１、４１と、柱１２の平断面の四角形状の周囲の長さに対応した長さを有し、笠部３１、４１の上面の辺から起立した帯部３２と、を備え、笠部３１、４１は、柔軟性を有するシート状素材からなる。
【００８０】
これにより、比較的簡易な着脱（装着）作業で、雨除け装置３０、４０を取り付けることができる。また、雨除け装置３０、４０を構成する部位は、長方形、三角形、台形等の単純な形状であり、シート状素材から形成するため、比較的容易に、低コストで製作することができる。また、未使用時に、雨除け装置３０、４０をコンパクトに折り畳むことができるため、収納スペースを削減することができる。また、梁等の鉄鋼部材と接触した場合においても、雨除け装置３０、４０が破損する頻度を低減することができる。また、収納スペースを取らず、破損しにくいため、作業現場への運搬時等において取り扱いやすく、運搬時等に、雨除け装置３０、４０が破損する頻度を低減することができる。
【産業上の利用可能性】
【００８１】
本発明に係る雨除け装置及び雨除け構造は、高力ボルトにより柱梁接合又は柱柱接合を行う場合の雨除け装置等として有用である。
【符号の説明】
【００８２】
１１  梁
１２  柱
１３  梁接合面
１４  高力ボルト
１５  タップ孔
１６  接合板
１７  ボルト挿通孔
２１ａ  上部柱
２１ｂ  下部柱
２２  コラムカプラー
２３  コーナークリッパー
２４  高力ボルト
３０、４０  雨除け装置
３１、４１  笠部
３２  帯部
３３  面取り面
３４、４２  覆い面
３５、４３  定着部
３６  延長笠部
３７、４４  閉じ合わせ部
【図１】
0006002370.tif 000002
【図２】
0006002370.tif 000003
【図３】
0006002370.tif 000004
【図４】
0006002370.tif 000005
【図５】
0006002370.tif 000006
【図６】
0006002370.tif 000007